(57)【要約】  様々な数のREが様々なRBで使用され得る場合にトランスポートブロックサイズを正確に判断することによってシステム性能を向上させるため、トランスポートブロックサイズを判断する方法および装置が提供される。方法は、通信デバイスにより、データスケジューリングのために使用可能リソースエレメントREのタイプを判断するステップと、使用可能REのタイプに基づいてデータのトランスポートブロックサイズを判断するステップとを含む。このように、通信デバイスは使用可能REのタイプに基づいてデータのトランスポートブロックサイズを正確に判断でき、これによりシステム性能が向上する。
2020522947.tif 000002
【特許請求の範囲】
【請求項１】
トランスポートブロックサイズを判断する方法であって、
通信デバイスにより、1スロットと1RBにおける使用可能リソースエレメントREの数に基づいてデータスケジューリングのために使用可能REのタイプを判断するステップと、
前記通信デバイスにより、前記使用可能REの前記タイプに基づいてデータのトランスポートブロックサイズを判断するステップと
を含む、方法。
【請求項２】
通信デバイスにより、1スロットと1RBにおける使用可能REの数に基づいてデータスケジューリングのために使用可能REのタイプを判断する前記ステップは、
前記通信デバイスにより、時間領域における1スロットと周波数領域における1RBでDMRSによって占められるREの数に基づいて前記使用可能REの前記タイプを判断するステップを含む、請求項1に記載の方法。
【請求項３】
前記通信デバイスにより、前記使用可能REの前記タイプに基づいてデータのトランスポートブロックサイズを判断する前記ステップは、
前記通信デバイスにより、前記使用可能REの前記タイプに対応するスケール率を判断するステップと、前記データの前記トランスポートブロックサイズを得るため前記スケール率に既定値を掛けるステップであって、前記既定値はトランスポートブロックサイズの既定表に基づいて判断され、あるいは変調方式、コードレート、伝送層の数、および前記通信デバイスの第1の使用可能RE数に基づいて計算され、前記第1の使用可能RE数はデータスケジューリングのための時間周波数リソースに基づいて予め設定されるか判断される、ステップとを含む、請求項1または2に記載の方法。
【請求項４】
前記通信デバイスにより、前記使用可能REの前記タイプに基づいてデータのトランスポートブロックサイズを判断する前記ステップは、
前記通信デバイスにより、前記使用可能REの前記タイプに対応する第2の使用可能RE数を判断するステップと、変調方式、コードレート、伝送層の数、および前記通信デバイスの前記第2の使用可能RE数を使った計算で前記データの前記トランスポートブロックサイズを得るステップとを含む、請求項1または2に記載の方法。
【請求項５】
前記通信デバイスにより、前記使用可能REの前記タイプに対応するスケール率を判断する前記ステップは、
前記通信デバイスにより、データスケジューリングのサービスタイプに基づいて前記スケール率を判断するステップを含む、請求項3に記載の方法。
【請求項６】
コンピュータ実行可能プログラムコードを保管するように構成されたメモリと、
1スロットと1RBにおける使用可能リソースエレメントREの数に基づいてデータスケジューリングのために使用可能REのタイプを判断し、かつ
前記使用可能REの前記タイプに基づいてデータのトランスポートブロックサイズを判断するため、
前記メモリ内の前記プログラムコードを呼び出すように構成されたプロセッサと
を備える、通信装置。
【請求項７】
前記プロセッサは、1スロットと1RBにおける前記使用可能REの数に基づいてデータスケジューリングのために前記使用可能REの前記タイプを判断するときに、
時間領域における1スロットと周波数領域における1RBでDMRSによって占められるREの数に基づいて前記使用可能REの前記タイプを判断するように具体的に構成される、請求項6に記載の装置。
【請求項８】
前記プロセッサは、前記使用可能REの前記タイプに基づいて前記データの前記トランスポートブロックサイズを判断するときに、
前記使用可能REの前記タイプに対応するスケール率を判断し、かつ前記データの前記トランスポートブロックサイズを得るため前記スケール率に既定値を掛けるように具体的に構成され、前記既定値はトランスポートブロックサイズの既定表に基づいて判断され、あるいは変調方式、コードレート、伝送層の数、および前記通信デバイスの第1の使用可能RE数に基づいて計算され、前記第1の使用可能RE数はデータスケジューリングのための時間周波数リソースに基づいて予め設定されるか判断される、請求項6または7に記載の装置。
【請求項９】
前記プロセッサは、前記使用可能REの前記タイプに基づいて前記データの前記トランスポートブロックサイズを判断するときに、
前記使用可能REの前記タイプに対応する第2の使用可能RE数を判断し、かつ変調方式、コードレート、伝送層の数、および前記通信デバイスの前記第2の使用可能RE数を使った計算で前記データの前記トランスポートブロックサイズを得るように具体的に構成される、請求項6または7に記載の装置。
【請求項１０】
前記プロセッサは、前記使用可能REの前記タイプに対応する前記スケール率を判断するときに、
データスケジューリングのサービスタイプに基づいて前記スケール率を判断するように具体的に構成される、請求項8に記載の装置。
【発明の詳細な説明】
【技術分野】
【０００１】
本願は、参照により全文が本願に組み込まれる「トランスポートブロックサイズを判断する方法および装置」と題する2017年6月16日に中国特許庁に提出された中国特許出願第201710459081．5号の優先権を主張する。
【０００２】
本願は通信技術分野に関し、具体的にはトランスポートブロックサイズを判断する方法および装置に関する。
【背景技術】
【０００３】
ロングタームエボリューション（Long Term Evolution、LTE）システムでは、割り当てられたリソースブロック（Resource Block、RB）の数と変調および符号化方式（Modulation and Coding Scheme、MCS）に基づいてトランスポートブロックサイズ（Transport Block Size、TBS）表を探索することによってトランスポートブロックサイズが判断される。
【０００４】
ただし、第五世代移動通信技術（5G）ニューラジオ（New Radio、NR）システムではデータスケジューリングがより柔軟になり得る。例えば、データスケジューリングのときには時間領域における具体的な開始位置と終了位置が指示される。それぞれのスロットで使用できるシンボルの数は動的に変化し得、様々な数のリソースエレメント（Resource Element、RE）が様々なシンボルで使用され得る。周波数領域では様々な数のREが様々なRBで使用され得る。
【０００５】
LTEでTBSを判断する方法は、様々な数のREが様々なRBで使用され得る状況を柔軟にサポートできない。したがって、LTEでTBSを判断する方法はNRシステムでTBSを判断する要求を満たすことができない。
【発明の概要】
【課題を解決するための手段】
【０００６】
本願の一実施形態は、様々な数のREが様々なRBで使用され得る場合にトランスポートブロックサイズを正確に判断することによってシステム性能を向上させるため、トランスポートブロックサイズを判断する方法および装置を提供する。
【０００７】
第1の態様によると、トランスポートブロックサイズを判断する方法が提供され、方法は、通信デバイスにより、データスケジューリングのために使用可能リソースエレメントREのタイプを判断するステップと、通信デバイスにより、使用可能REのタイプに基づいてデータのトランスポートブロックサイズを判断するステップとを含む。このように、通信デバイスはデータスケジューリングのために使用可能REのタイプに基づいてデータのトランスポートブロックサイズを正確に判断できるため、システム要求を満たすことができ、システム性能を高めることができる。
【０００８】
第1の態様を参照し、可能な一設計において、通信デバイスにより、データスケジューリングのために使用可能REのタイプを判断するステップは、通信デバイスにより、使用可能REの分類基準を判断するステップと、使用可能REの分類基準に基づいてデータスケジューリングのために使用可能REのタイプを判断するステップとを含み、分類基準は、時間領域におけるX1個のシンボルのシンボルフィーチャ、および／または周波数領域におけるY1個のRBのRBフィーチャに基づいて判断され、あるいは分類基準は、時間領域におけるX2個のシンボルのシンボルフィーチャ、および／または周波数領域におけるY2個のリソースブロックグループRBGのRBGフィーチャに基づいて判断され、あるいは分類基準は、時間領域におけるX3個のスロットのスロットフィーチャ、および／または周波数領域におけるY3個のリソースブロックRBのRBフィーチャに基づいて判断され、あるいは分類基準は、時間領域におけるX4個のスロットのスロットフィーチャ、および／または周波数領域におけるY4個のRBGのRBGフィーチャに基づいて判断され、あるいは分類基準はデータスケジューリングのための使用可能REの数であり、X1、X2、X3、X4、Y1、Y2、Y3、およびY4は正の整数である。この設計では、使用可能REの複数の分類基準が柔軟に設計され、実際の応用で通信デバイスによって使用される特定の分類基準はシステム性能に基づいて柔軟に選択できる。
【０００９】
第1の態様を参照し、可能な一設計において、シンボルフィーチャは、シンボルにおける基準信号とシンボルにおける使用可能REの数に関する情報のうち少なくともいずれか1つを含み、RBフィーチャは、RBにおける基準信号とRBにおける使用可能REの数に関する情報のうち少なくともいずれか1つを含み、スロットフィーチャは、スロットにおける基準信号と、スロットにおける使用可能REの数と、スロットにおける使用可能シンボルの数に関する情報のうち少なくともいずれか1つを含み、RBGフィーチャは、RBGにおける基準信号と、RBGのおける使用可能REの数と、RBGにおける使用可能RBの数に関する情報のうち少なくともいずれか1つを含む。この設計では、使用可能REのタイプをさらに判断するため、設計される時間周波数フィーチャに基づいて分類基準を柔軟に設計できる。様々なREタイプに基づいて様々なTBS値が判断されるため、使用可能REのタイプに基づいてデータのTBSサイズが正確に判断される。
【００１０】
第1の態様を参照し、可能な一設計において、基準信号に関する情報は、基準信号の有無と、基準信号のアンテナポートの数と、基準信号によって占められるREの数のうち少なくともいずれか1つを含む。この設計では、分類基準が基準信号に関する情報を含む場合に、基準信号に関する情報は前述の設計の任意の組み合わせであり得るため、基準信号に関する情報に基づいて多様な使用可能RE分類を実施して様々な要求を満たすことができる。
【００１１】
第1の態様を参照し、可能な一設計において、通信デバイスが端末である場合に、通信デバイスにより、使用可能REの分類基準を判断することは、通信デバイスにより、使用可能REの既定分類基準を判断することを、または基地局によって送信される第1のシグナリングを受信することを、含み、第1のシグナリングは使用可能REの分類基準を含んでおり、通信デバイスが基地局である場合に、通信デバイスにより、使用可能REの分類基準を判断することは、通信デバイスにより、使用可能REの既定分類基準を判断することを、または通信デバイスにより、データスケジューリングのサービスフィーチャに基づいて使用可能REの分類基準を構成することを、含む。この設計では、分類基準を2通りの方式で判断できる。一方の方式では、分類基準がプロトコルで直接指定される。この方式は比較的簡素で直接的であり、基地局と端末は過度のやり取りを行う必要がないため、シグナリングのオーバーヘッドが節約される。他方の方式では、基地局がデータスケジューリングのサービスフィーチャに基づいて分類基準を動的に構成し、端末に分類基準を通知する。この方式は柔軟性が高いため、様々なサービス要求を満たすことができる。
【００１２】
第1の態様を参照し、可能な一設計において、通信デバイスにより、使用可能REの分類基準に基づいてデータスケジューリングのために使用可能REのタイプを判断することは、通信デバイスにより、使用可能REの分類基準とデータスケジューリングのための時間周波数リソースとに基づいてデータスケジューリングのために使用可能REのタイプを判断することを含む。
【００１３】
第1の態様を参照し、可能な一設計において、通信デバイスにより、データスケジューリングのために使用可能REのタイプを判断することは、通信デバイスにより、データのサービスタイプを判断することと、サービスタイプに基づいてデータの使用可能REのタイプを判断することとを含み、様々なサービスタイプは様々な使用可能REタイプに対応する。この設計では、様々なサービスタイプのために様々な分類基準を設計できるため、データのTBSサイズを判断するにあたってサービスタイプが区別される。
【００１４】
第1の態様を参照し、可能な一設計において、通信デバイスにより、使用可能REのタイプに基づいてデータのトランスポートブロックサイズを判断することは、通信デバイスにより、使用可能REのタイプに基づいて、使用可能REのタイプに対応するトランスポートブロックサイズの表を判断することと、トランスポートブロックサイズの表に基づいてデータのトランスポートブロックサイズを判断することとを含み、あるいは通信デバイスにより、使用可能REのタイプ、ならびに使用可能REのタイプとトランスポートブロックサイズとの対応関係に基づいて、データのトランスポートブロックサイズを判断することを含み、あるいは通信デバイスにより、使用可能REのタイプに対応するスケール率を判断することと、データのトランスポートブロックサイズを得るためスケール率に既定値を掛けることとを含み、既定値はトランスポートブロックサイズの既定表に基づいて判断され、あるいは変調方式、コードレート、伝送層の数、および通信デバイスの第1の使用可能RE数に基づいて計算され、第1の使用可能RE数はデータスケジューリングのための時間周波数リソースに基づいて予め設定されるか判断され、あるいは判断することは、通信デバイスにより、使用可能REのタイプに対応する第2の使用可能RE数を判断することと、変調方式、コードレート、伝送層の数、および通信デバイスの第2の使用可能RE数を使った計算でデータのトランスポートブロックサイズを得ることとを含む。前述の設計では、様々な使用可能REタイプが様々なTBS表、またはTBS値、または既定値、または様々な計算方法に対応するため、対応するタイプのデータのTBS値が判断され、システム性能が高められる。
【００１５】
第2の態様によると、トランスポートブロックサイズを判断する装置が提供され、装置は、
データスケジューリングのために使用可能リソースエレメントREのタイプを判断するように構成された第1の判断ユニットと、
使用可能REのタイプに基づいてデータのトランスポートブロックサイズを判断するように構成された第2の判断ユニットとを含む。
【００１６】
第2の態様を参照し、可能な一設計において、第1の判断ユニットは、データスケジューリングのために使用可能REのタイプを判断するときに、使用可能REの分類基準を判断し、かつ使用可能REの分類基準に基づいてデータスケジューリングのために使用可能REのタイプを判断するように具体的に構成され、分類基準は、時間領域におけるX1個のシンボルのシンボルフィーチャ、および／または周波数領域におけるY1個のRBのRBフィーチャに基づいて判断され、あるいは分類基準は、時間領域におけるX2個のシンボルのシンボルフィーチャ、および／または周波数領域におけるY2個のリソースブロックグループRBGのRBGフィーチャに基づいて判断され、あるいは分類基準は、時間領域におけるX3個のスロットのスロットフィーチャ、および／または周波数領域におけるY3個のリソースブロックRBのRBフィーチャに基づいて判断され、あるいは分類基準は、時間領域におけるX4個のスロットのスロットフィーチャ、および／または周波数領域におけるY4個のRBGのRBGフィーチャに基づいて判断され、あるいは分類基準はデータスケジューリングのための使用可能REの数であり、X1、X2、X3、X4、Y1、Y2、Y3、およびY4は正の整数である。
【００１７】
第2の態様を参照し、可能な一設計において、シンボルフィーチャは、シンボルにおける基準信号とシンボルにおける使用可能REの数に関する情報のうち少なくともいずれか1つを含み、RBフィーチャは、RBにおける基準信号とRBにおける使用可能REの数に関する情報のうち少なくともいずれか1つを含み、スロットフィーチャは、スロットにおける基準信号と、スロットにおける使用可能REの数と、スロットにおける使用可能シンボルの数に関する情報のうち少なくともいずれか1つを含み、RBGフィーチャは、RBGにおける基準信号と、RBGのおける使用可能REの数と、RBGにおける使用可能RBの数に関する情報のうち少なくともいずれか1つを含む。
【００１８】
第2の態様を参照し、可能な一設計において、基準信号に関する情報は、基準信号の有無と、基準信号のアンテナポートの数と、基準信号によって占められるREの数のうち少なくともいずれか1つを含む。
【００１９】
第2の態様を参照し、可能な一設計において、装置が端末である場合、装置は、基地局によって送信される第1のシグナリングを受信するように構成された受信ユニットをさらに含み、第1のシグナリングは使用可能REの分類基準を指示するために使われ、あるいは第1の判断ユニットは、使用可能REの既定分類基準を判断するように具体的に構成され、装置が基地局である場合、第1の判断ユニットは、使用可能REの既定分類基準を判断するように、またはデータスケジューリングのサービスフィーチャに基づいて使用可能REの分類基準を構成するように、具体的に構成される。
【００２０】
第2の態様を参照し、可能な一設計において、第1の判断ユニットは、使用可能REの分類基準に基づいてデータスケジューリングのために使用可能REのタイプを判断するときに、使用可能REの分類基準とデータスケジューリングのための時間周波数リソースとに基づいてデータスケジューリングのために使用可能REのタイプを判断するように具体的に構成される。
【００２１】
第2の態様を参照し、可能な一設計において、第1の判断ユニットは、データスケジューリングのために使用可能REのタイプを判断するときに、データスケジューリングが属するサービスタイプを判断し、かつサービスタイプに基づいてデータスケジューリングのための使用可能REのタイプを判断するように具体的に構成され、様々なサービスタイプは様々な使用可能REタイプに対応する。
【００２２】
第2の態様を参照し、可能な一設計において、第2の判断ユニットは、使用可能REのタイプに基づいてデータのトランスポートブロックサイズを判断するときに、使用可能REのタイプに基づいて、使用可能REのタイプに対応するトランスポートブロックサイズの表を判断し、かつトランスポートブロックサイズの表に基づいてデータのトランスポートブロックサイズを判断するように具体的に構成され、あるいは第2の判断ユニットは、使用可能REのタイプ、ならびに使用可能REのタイプとトランスポートブロックサイズとの対応関係に基づいて、データのトランスポートブロックサイズを判断するように具体的に構成され、あるいは第2の判断ユニットは、使用可能REのタイプに対応するスケール率を判断し、かつデータのトランスポートブロックサイズを得るためスケール率に既定値を掛けるように具体的に構成され、既定値はトランスポートブロックサイズの既定表に基づいて判断され、あるいは変調方式、コードレート、伝送層の数、および装置の第1の使用可能RE数に基づいて計算され、第1の使用可能RE数はデータスケジューリングのための時間周波数リソースに基づいて予め設定されるか判断され、あるいは第2の判断ユニットは、使用可能REのタイプに対応する第2の使用可能RE数を判断し、かつ変調方式、コードレート、伝送層の数、および装置の第2の使用可能RE数を使った計算でデータのトランスポートブロックサイズを得るように具体的に構成される。
【００２３】
第3の態様によると、通信デバイスが提供され、通信デバイスは端末か基地局であり、通信デバイスは前述した第1の態様の方法例で通信デバイスの挙動を実施する機能を有する。この機能はハードウェアによって実施され得る。通信デバイスの構造は、コンピュータ実行可能プログラムコードを保管するように構成されたメモリと、通信インターフェースと、プロセッサとを含む。プロセッサはメモリと通信インターフェースとに結合されている。メモリに保管されたプログラムコードは命令を含んでいる。プロセッサが命令を実行すると、命令は、第1の態様または第1の態様の可能な設計のうちいずれか1つに従って通信デバイスによって遂行される方法を通信デバイスが遂行することを可能にする。
【００２４】
第4の態様によると、コンピュータ記憶媒体が提供される。コンピュータ記憶媒体は前述した通信デバイスによって使われるコンピュータソフトウェア命令を保管するように構成され、コンピュータ記憶媒体は前述した態様を実行するように設計されたプログラムを含んでいる。
【００２５】
第5の態様によると、命令を含むコンピュータプログラム製品が提供される。コンピュータは、コンピュータプログラム製品がコンピュータ上で実行すると、第1の態様による方法を遂行するように構成される。
【図面の簡単な説明】
【００２６】
【図１】本願の一実施形態による応用シナリオの概略図である。
【図２】本願の一実施形態による別の応用シナリオの概略図である。
【図３】本願の一実施形態によりトランスポートブロックサイズを判断する方法の概略流れ図である。
【図４ａ】本願の一実施形態により使用可能REを分類する概略図である。
【図４ｂ】本願の一実施形態により使用可能REを分類する概略図である。
【図４ｃ】本願の一実施形態により使用可能REを分類する概略図である。
【図４ｄ】本願の一実施形態により使用可能REを分類する概略図である。
【図４ｅ】本願の一実施形態により使用可能REを分類する概略図である。
【図４ｆ】本願の一実施形態により使用可能REを分類する概略図である。
【図５ａ】本願の一実施形態により使用可能REを分類する概略図である。
【図５ｂ】本願の一実施形態により使用可能REを分類する概略図である。
【図５ｃ】本願の一実施形態により使用可能REを分類する概略図である。
【図６】本願の一実施形態による通信装置の概略構造図である。
【図７】本願の一実施形態による通信デバイスの概略構造図である。
【発明を実施するための形態】
【００２７】
これ以降は本願の実施形態の添付の図面を参照しながら本願の実施形態の技術的解決手段を明瞭かつ完全に説明する。
【００２８】
本明細書で提供される技術的解決手段は5G NRシステム（以降の説明では略してNRシステム）に応用でき、また次世代移動通信システムや他の類似する移動通信システムにも応用できる。
【００２９】
ここでは、当業者の理解を助けるため、本発明の実施形態の用語をいくつか説明する。
【００３０】
（1）端末は、ユーザのために音声および／またはデータ接続を提供するデバイスであり、例えば無線接続機能を有する手持ち型デバイスや無線モデムに接続された処理デバイスを含み得る。端末は無線アクセスネットワーク（Radio Access Network、RAN）を使ってコアネットワークと通信でき、RANと音声および／またはデータを交換できる。端末は、アクセスポイント（Access Point、AP）、ユーザ機器（User Equipment、UE）、無線端末、モバイル端末、サブスクライバユニット（Subscriber Unit）、サブスクライバステーション（Subscriber Station）、モバイルステーション（Mobile Station）、モバイルコンソール（Mobile）、リモートステーション（Remote Station）、アクセスポイント（Access Point、AP）、リモート端末（Remote Terminal）、アクセス端末（Access Terminal）、ユーザ端末（User Terminal）、ユーザエージェント（User Agent）、ユーザデバイス（User Device）などを含み得る。例えば、端末は携帯電話機（または「セルラー」フォンと呼ばれる）、モバイル端末を有するコンピュータ、可搬型ポケットサイズ手持ち型コンピュータ内蔵または車載モバイル装置、ならびにインテリジェントウェアラブルデバイス、例えばパーソナル通信サービス（Personal Communication Service、PCS）フォン、コードレス電話機、セッションイニシエーションプロトコル（SIP）フォン、ワイヤレスローカルループ（Wireless Local Loop、WLL）ステーション、個人用デジタル補助装置（Personal Digital Assistant、PDA）、スマートウォッチ、スマートヘルメット、スマートグラス、またはスマートバンドを含み得る。
【００３１】
（2）基地局は、アクセスネットワークの中でエアインターフェース上の1つ以上のセクターを通じて無線端末と通信するデバイスである。基地局は、受信したオーバー・ジ・エア・フレームとインターネットプロトコル（IP）パケットを相互に変換し、かつ端末とアクセスネットワークの残りの部分との間でルーターとして機能するように構成され得る。アクセスネットワークの残りの部分はIPネットワークを含み得る。基地局はエアインターフェースの属性管理を調整し得る。例えば、基地局は、LTEシステムまたはLTEアドバンストシステム（LTE−Advanced、LTE−A）におけるエボルブドノードB（eNBまたはe−NodeB、evolutional Node B）、あるいはLTEシステムまたはLTE−Aシステムにおけるスモールセル（micro／pico eNB）を含み得、あるいはまたNRシステムにおける次世代ノードB（next generation node B、gNB）、あるいはトランスミッションポイント（transmission point、TP）を含み得、あるいはトランシーバノード（transmission and receiver point、TRP）などであり得る。これは本願の実施形態で限定されない。
【００３２】
（3）本願の実施形態において用語「システム」および「ネットワーク」は互換的に使用されることがあり、「複数の」は2つ以上を指す。この点に関し、「複数の」は本願の実施形態において「少なくとも2つの」と理解することもできる。用語「および／または」は関連する物の関連関係を記述するものであり、3つの関係があり得ることを意味する。例えば、「Aおよび／またはB」は3つのケースを、すなわちAのみ存在するケースと、AとBの両方が存在するケースと、Bのみ存在するケースとを意味し得る。加えて、文字「／」は、別段の指定がある場合を除き、関連する物の「または」関係を通常意味する。
【００３３】
本願の実施形態で提供される技術的解決手段をよりよく理解するため、まずは本願の実施形態の応用シナリオを説明する。
【００３４】
図1は本願の一実施形態による応用シナリオを示している。図1には端末と基地局が含まれている。端末は基地局と情報を交換できる。基地局は端末へダウンリンクデータを送信でき、端末もまた基地局によって送信されるダウンリンクデータを受信できる。加えて、端末は基地局へアップリンクデータをさらに送信でき、基地局もまた端末によって送信されるアップリンクデータを受信できる。本願におけるTBSを判断する方法は、アップリンクデータのトランスポートブロックサイズのためのものであり得、あるいはダウンリンクデータのトランスポートブロックサイズのためのものであり得る。これはここで具体的に限定されない。
【００３５】
図1に示された応用シナリオに加え、本願の実施形態は合同伝送シナリオにさらに応用できる。既存の協調マルチポイント伝送（Coordinated Multiple Points Transmission、CoMP）が一例として使われる。既存の多入力多出力（Multiple−Input Multiple−ユーザによりよく奉仕するため、既存の多入力多出力（Multiple−Input Multiple−Output、MIMO）技術（伝送信頼性を向上させるために使われるダイバーシティ技術とデータ伝送速度を向上させるために使われるマルチフロー技術を含む）が協調マルチポイント伝送と組み合わされることで、分散マルチアンテナシステムが形成される。図2は複数アンテナサイト間の協調伝送の応用シナリオの概略図である。本願の実施形態は同種ネットワークのシナリオと異種ネットワークのシナリオにも応用可能であり、伝送ポイントに制限を課さない。マクロ基地局とマクロ基地局、マイクロ基地局とマイクロ基地局、またはマクロ基地局とマイクロ基地局との間で、協調マルチポイント伝送が行われ得る。加えて、本願の実施形態は、周波数分割二重（Frequency Division Dual、FDD）／時分割二重（Time Division Duplexing、TDD）／フレキシブル二重（flexible duplexing，or，Dynamic Time Division Duplexing、D−TDD）システムに応用可能であり、また低周波数シナリオ（例えば6GHz以下の周波数）と高周波数シナリオ（例えば6 GHz超の周波数）の両方に応用可能である。
【００３６】
NRシステムではより柔軟なデータスケジューリングを実施する複数の可能性がある。したがって、端末と基地局はLTEの方法に基づいてデータスケジューリングのためのTBSを判断できず、結果的に、正常なデータスケジューリングは実施できない。この技術的問題を解決するため、本願の実施形態の技術的解決手段が提供される。これ以降は添付の図面を参照しながら技術的解決手段を説明する。以降の説明では、本願の実施形態で提供される技術的解決手段が図1または図2に示された応用シナリオに応用される状況が一例として使われる。本願の実施形態で提供される技術的解決手段が図2に示された応用シナリオに応用される場合は、いずれか1つの基地局の観点から本願の実施形態が説明されているものと考えることができる。
【００３７】
図3は本願の一実施形態によるトランスポートブロックサイズを判断する方法の概略流れ図である。このプロセスは、ハードウェアを用いることによって、ソフトウェアプログラミングを通じて、またはソフトウェアとハードウェアの組み合わせを用いることによって、具体的に実施され得る。
【００３８】
通信デバイスは図3に示されたプロセスを遂行するように構成され得る。通信デバイスは端末か基地局であり得る。端末または基地局内にあり、本願の本実施形態で提供されるトランスポートブロックサイズを判断する解決手段を実行するように構成される機能モジュールは、ハードウェアを用いることによって、ソフトウェアプログラミングを通じて、またはソフトウェアとハードウェアの組み合わせを用いることによって、具体的に実装され得る。ハードウェアは1つ以上の信号処理回路および／または専用集積回路を含み得る。
【００３９】
図3に示されているように、プロセスは以下の処理プロセスを具体的に含む。
【００４０】
ステップ30：通信デバイスはデータスケジューリングのために使用可能REのタイプを判断する。
【００４１】
なお、本願の本実施形態における使用可能REとは、データを運ぶために使われるREであり、あるいはRSを運ばないREであり得る。使用不能なREはデータを運ぶために使われないREであり、あるいはRSを運ぶREである。
【００４２】
具体的に述べると、通信デバイスは、以下の2通りの実装を用いることによって、データスケジューリングのために使用可能REのタイプを判断できる。
【００４３】
第1の実装において、通信デバイスは使用可能REの分類基準を判断し、かつ使用可能REの分類基準に基づいてデータスケジューリングのための使用可能REのタイプを判断する。分類基準は、時間領域におけるX1個のシンボルのシンボルフィーチャ、および／または周波数領域におけるY1個のRBのRBフィーチャに基づいて判断され、あるいは分類基準は、時間領域におけるX2個のシンボルのシンボルフィーチャ、および／または周波数領域におけるY2個のリソースブロックグループRBGのRBGフィーチャに基づいて判断され、あるいは分類基準は、時間領域におけるX3個のスロットのスロットフィーチャ、および／または周波数領域におけるY3個のリソースブロックRBのRBフィーチャに基づいて判断され、あるいは分類基準は、時間領域におけるX4個のスロットのスロットフィーチャ、および／または周波数領域におけるY4個のRBGのRBGフィーチャに基づいて判断され、あるいは分類基準はデータスケジューリングのための使用可能REの数であり、X1、X2、X3、X4、Y1、Y2、Y3、およびY4は正の整数である。
【００４４】
具体的に述べると、X1、X2、X3、X4、Y1、Y2、Y3、およびY4の値の少なくとも1つは予め設定でき、あるいはX1、X2、X3、X4、Y1、Y2、Y3、およびY4の値の少なくとも1つはシグナリングを用いて基地局から端末に通知できる。これはここで具体的に限定されない。シグナリングは上位層シグナリング、物理層シグナリングなどであってよい。
【００４５】
なお、RBGはリソース割り当ての基本単位であり得、1つのRBGは1つ以上のRBを含み得る。RBGの具体的なサイズは予め設定でき、あるいはシグナリングを用いて通知できる。これはここで具体的に限定されない。任意に選べることとして、RBGのサイズは動的に、または半静的に、変化し得る。任意に選べることとして、RBGのサイズはシステムレベル、帯域幅部分レベル、ユーザレベル、またはユーザグループレベルであり得る。これはここで具体的に限定されない。任意に選べることとして、RBGのサイズについては、様々なサイズのRBGを様々なチャネルに使用でき、あるいは様々なサイズのRBGを様々なサービスに使用できる。これはここで具体的に限定されない。
【００４６】
任意に選べることとして、分類基準に対応するリソースは基準リソースエレメントとみなすことができる。例えば、時間領域におけるX1個のシンボルのシンボルフィーチャ、および／または周波数領域におけるY1個のRBのRBフィーチャに基づいて分類基準が判断される場合、時間領域におけるX1個のシンボルと周波数領域におけるY1個のRBに対応するリソースは基準リソースエレメントである。他の分類基準も同様に推測される。これはここで具体的に限定されない。
【００４７】
任意に選べることとして、通信デバイスは、リソース割り当て方法かデータスケジューリング方法を用いて使用可能REの分類基準を判断できる。
【００４８】
任意に選べることとして、様々なリソース割り当て方法やデータスケジューリング方法は使用可能REの様々な分類基準に対応し得る。
【００４９】
リソース割り当て方法は、リソース割り当てタイプ0、リソース割り当てタイプ1、リソース割り当てタイプ2であり得、あるいは先行技術のリソース割り当てタイプ、別のリソース割り当てタイプ、RB方式リソース割り当てタイプ、RBG方式リソース割り当てタイプなどであり得る。
【００５０】
データスケジューリング方法は、スロット方式スケジューリング方法、ミニスロット方式スケジューリング方法、スロットアグリゲーションに基づくスケジューリング方法、ミニスロットアグリゲーションに基づくスケジューリング方法、またはスロットおよびミニスロットアグリゲーションに基づくスケジューリング方法であり得る。
【００５１】
通信デバイスが端末である場合、通信デバイスが使用可能REの分類基準を判断することは、通信デバイスが使用可能REの既定分類基準を判断することを、または基地局によって送信される第1のシグナリングを受信することを、含み、第1のシグナリングは使用可能REの分類基準を含んでいる。
【００５２】
通信デバイスが基地局である場合、通信デバイスが使用可能REの分類基準を判断することは、通信デバイスが使用可能REの既定分類基準を判断することを、または通信デバイスがデータスケジューリングのサービスフィーチャに基づいて使用可能REの分類基準を構成することを、含む。
【００５３】
具体的に述べると、使用可能REの分類基準に基づいてデータスケジューリングのための使用可能REのタイプを判断する際に、通信デバイスはデータスケジューリングのための時間周波数リソースを判断し、かつ使用可能REの分類基準とデータスケジューリングのための時間周波数リソースとに基づいてデータスケジューリングのための使用可能REのタイプを判断する必要がある。
【００５４】
例えば、使用可能REの分類基準が周波数領域における1RBと時間領域における1シンボルにおける各シンボルにおけるDMRSの有無であるなら、使用可能REは分類基準を用いて2つのタイプに分類され得る。シンボルにDMRSがあるなら、使用可能REは第1のタイプに属する。シンボルにDMRSがないなら、使用可能REは第2のタイプに属する。この場合、データスケジューリングのための時間周波数リソースは連続する3つのシンボルと5つのRBである。例えば、3つのシンボルにDMRSがないなら、使用可能REは第2のタイプに属する。この場合、通信デバイスは第2のタイプに対応するTBS表か既定TBS値を得、TBS表を使って対応するTBS値を判断する。現在のスケジューリングでデータのTBSサイズを得るため、対応するTBS値には3が掛けられる。
【００５５】
別の一例として、使用可能REの分類基準が時間領域における1シンボルと周波数領域における1RBGにおけるCSI−RSの有無であるなら、使用可能REは分類基準を用いて4つのタイプに分類され得る。1RBGと1シンボルにおける各RBにCSI−RSがあるなら、使用可能REは第1のタイプに属する。1RBGと1シンボルにおける各RBにCSI−RSがないなら、使用可能REは第2のタイプに属する。1RBGと1シンボルにおける1RBにCSI−RSがないなら、使用可能REは第3のタイプに属する。1RBGと1シンボルにおける2 RBにCSI−RSがないなら、使用可能REは第4のタイプに属する。この場合、データスケジューリングの時間周波数リソースは連続する3つのシンボルと5つのRBGであり、15個の時間周波数ブロックの各々が属する具体的なタイプと、各タイプの時間周波数ブロックの数が判断される。この場合、通信デバイスはそれぞれのタイプに対応するTBS表か既定TBS値を得、TBS表を使って対応するTBS値を判断する。現在のスケジューリングでデータのTBSサイズを得るため、対応するTBS値には各タイプの時間周波数ブロック数が掛けられる。
【００５６】
シンボルフィーチャは、シンボルにおける基準信号とシンボルにおける使用可能REの数に関する情報のうち少なくともいずれか1つを含む。RBフィーチャは、RBにおける基準信号とRBにおける使用可能REの数に関する情報のうち少なくともいずれか1つを含む。スロットフィーチャは、スロットにおける基準信号と、スロットにおける使用可能REの数と、スロットにおける使用可能シンボルの数に関する情報のうち少なくともいずれか1つを含む。RBGフィーチャは、RBGにおける基準信号と、RBGのおける使用可能REの数と、RBGにおける使用可能RBの数に関する情報のうち少なくともいずれか1つを含む。
【００５７】
さらに、基準信号に関する情報は、基準信号の有無と、基準信号のアンテナポートの数と、基準信号によって占められるREの数のうち少なくともいずれか1つを含む。
【００５８】
基準信号は、復調基準信号（Demodulation Reference Signal、DMRS）、チャネル状態情報基準信号（Channel State Information Reference Signal、CSI−RS）、およびフェーズトラッキング基準信号（Phase−tracking RS、PT−RS）、およびトラッキング基準信号（Tracking RS、TRS）のうち少なくともいずれか1つを含む。
【００５９】
任意に選べることとして、通信デバイスは、リソース割り当て方法かデータスケジューリング方法を用いて使用可能REのタイプを判断できる。
【００６０】
任意に選べることとして、様々なリソース割り当て方法やデータスケジューリング方法は使用可能REの様々なタイプに対応し得る。
【００６１】
リソース割り当て方法は、リソース割り当てタイプ0、リソース割り当てタイプ1、リソース割り当てタイプ2であり得、あるいは先行技術のリソース割り当てタイプ、別のリソース割り当てタイプ、RB方式リソース割り当てタイプ、RBG方式リソース割り当てタイプなどであり得る。
【００６２】
データスケジューリング方法は、スロット方式スケジューリング方法、ミニスロット方式スケジューリング方法、スロットアグリゲーションに基づくスケジューリング方法、ミニスロットアグリゲーションに基づくスケジューリング方法、またはスロットおよびミニスロットアグリゲーションに基づくスケジューリング方法であり得る。
【００６３】
第2の実装において、通信デバイスはデータスケジューリングのサービスタイプを判断し、かつサービスタイプに基づいてデータスケジューリングのために使用可能REのタイプを判断し、様々なサービスタイプは使用可能REの様々なタイプに対応している。
【００６４】
ステップ31：通信デバイスは使用可能REのタイプに基づいてデータのトランスポートブロックサイズを判断する。
【００６５】
具体的に述べると、通信デバイスは以下の4通りの実装を使用し、使用可能REのタイプに基づいてデータのトランスポートブロックサイズを判断する。
【００６６】
様態1：通信デバイスは、使用可能REのタイプに基づいて、使用可能REのタイプに対応するトランスポートブロックサイズの表を判断し、かつトランスポートブロックサイズの表に基づいてデータのトランスポートブロックサイズを判断する。
【００６７】
様態2：通信デバイスは、使用可能REのタイプ、ならびに使用可能REのタイプとトランスポートブロックサイズとの対応関係に基づいて、データのトランスポートブロックサイズを判断する。
【００６８】
この様態では、TBSの計算プロセスを節約するため、様々なトランスポートブロックサイズが様々なタイプごとに予め設定される。
【００６９】
様態3：通信デバイスは使用可能REのタイプに対応するスケール率を判断し、かつデータのトランスポートブロックサイズを得るためスケール率に既定値を掛け、既定値はトランスポートブロックサイズの既定表に基づいて判断され、あるいは変調方式、コードレート、伝送層の数、および通信デバイスの第1の使用可能RE数に基づいて計算され、第1の使用可能RE数はデータスケジューリングのための時間周波数リソースに基づいて予め設定されるか判断される。
【００７０】
具体的に述べると、可能な一実装において、TBS値は、変調方式、コードレート、伝送層の数、および第1の使用可能RE数を使った計算で得ることができ、具体的なプロセスは次のとおりである。
【数１】
2020522947.tif 000003
【００７１】
【数２】
2020522947.tif 000004
は切り上げを表し、Nsfは分類基準に対応する基準リソースエレメントの数を表し、
【数３】
2020522947.tif 000005
は基準リソースエレメントに対応する使用可能REの数を表し、あるいはREの既定数、すなわち第1の使用可能RE数であり、vは伝送層の数を表し、Rはコードレートを表す。
【００７２】
様態4：通信デバイスは使用可能REのタイプに対応する第2の使用可能RE数を判断し、かつ変調方式、コードレート、伝送層の数、および通信デバイスの第2の使用可能RE数を使った計算でデータのトランスポートブロックサイズを得る。
【００７３】
具体的に述べると、計算式は上記の式1に類似しているが、第1の使用可能RE数は第2の使用可能RE数に差し替えられる。
【００７４】
具体的に述べると、可能な一実装において、TBS値はTBS表を使って判断でき、具体的なプロセスは次のとおりである。
【００７５】
表1および表2はTBS表の具体例を示すものである。通信デバイスは表1を使ってMCSインデックス（index）に基づいてTBS indexと変調方式を判断でき、次に割り当てられたRBの数NRBとTBS indexに基づいて表2を探索することでTBS値を判断できる。
【００７６】
【表１】
2020522947.tif 000006
【００７７】
【表２】
2020522947.tif 000007
【００７８】
これ以降は、様々な分類基準を使って使用可能REのタイプを判断するプロセスを一例を用いて説明する。具体的に述べると、基地局と端末によって使われる具体的な分類基準はプロトコルで予め指定されてよく、あるいは基地局によって動的に構成されてよく、シグナリングを用いて端末に通知されてよい。具体的なシグナリングは上位層シグナリング、物理層シグナリングなどであってよい。これは本願で限定されない。
【００７９】
分類基準1に関し、使用可能REのタイプは、時間領域における1シンボルのシンボルフィーチャ、および／または周波数領域における1RBのRBフィーチャ、に基づいて判断される。
【００８０】
シナリオ1：使用可能REのタイプは、時間領域における1シンボルと周波数領域における1RBでのDMRSに関する情報に基づいて判断される。
【００８１】
例えば、使用可能REのタイプを得るため、使用可能REはシンボルにDMRSがあるか否かに基づいて分類される。使用可能REは2つのタイプに、すなわちDMRSを含むシンボルに対応するREと、DMRSを含まないシンボルに対応するREとに、分類される。
【００８２】
別の一例として、使用可能REの分類基準を得るため、使用可能REはDMRSのアンテナポートの数に基づいて分類される。具体的に述べると、例えば、DMRSのアンテナポートの数が0であるなら使用可能REは第1のタイプに属し、DMRSのアンテナポートの数が1または2であるなら使用可能REは第2のタイプに属し、DMRSのアンテナポートの数が3または4であるなら使用可能REは第3のタイプに属し、DMRSのアンテナポートの数が5から8であるなら使用可能REは第4のタイプに属する。
【００８３】
別の一例として、使用可能REのタイプを得るため、使用可能REはDMRSによって絞められたREの数に基づいて分類される。例えば、DMRSがREを占めない場合は使用可能REは第1のタイプに属し、DMRSが2つのREを占める場合は使用可能REは第2のタイプに属し、DMRSが4つのREを占める場合は使用可能REは第3のタイプに属し、DMRSが8つのREを占める場合は使用可能REは第4のタイプに属する。
【００８４】
別の一例として、分類はDMRSのアンテナポートの数とDMRSによって占められるREの数とに基づいて行われる。例えば、DMRSのアンテナポートの数が0であり、DMRSがREを占めない場合は、使用可能REは第1のタイプに属する。DMRSのアンテナポートの数が1または2であり、DMRSが2つのREを占める場合、またはDMRSのアンテナポートの数が3または4であり、DMRSが2つのREを占める場合は、使用可能REは第2のタイプに属する。DMRSのアンテナポートの数が1または2であり、DMRSが4つのREを占める場合、またはDMRSのアンテナポートの数が3または4であり、DMRSが4つのREを占める場合、またはDMRSのアンテナポートの数が5から8であり、DMRSが8つのREを占める場合、またはDMRSのアンテナポートの数が5から8であり、DMRSが16のREを占める場合は、使用可能REは第3のタイプに属する。
【００８５】
具体的に述べると、図4aから図4cは各シンボルにおけるDMRSの情報に基づいて使用可能REを分類する概略図を示している。
【００８６】
図4aのDMRS方式分類設計では、データの使用可能REが、または各symbolでDMRSによって占められるREが、3つのタイプに分類され得る。
【００８７】
図4bのDMRS方式分類設計では、データの使用可能REが、または各symbolでDMRSによって占められるREが、4つのタイプに分類され得る。
【００８８】
図4cのDMRS方式分類設計では、データの使用可能REが、または各symbolでDMRSによって占められるREが、5つのタイプに分類され得る。
【００８９】
データスケジューリングが複数のDMRS方式分類設計をサポートする場合、全データの使用可能REの数は、またはDMRSによって占められるREの数は、0、3、4、6、8、9、および12であり得、使用可能REは3つのタイプか4つのタイプに分類され得る。例えば、具体的に述べると、全データの使用可能REの数が、またはDMRSによって占められるREの数が、0である場合は、使用可能REは第1のタイプに属し、全データの使用可能REの数が、またはDMRSによって占められるREの数が、3、4、または6である場合は、使用可能REは第2のタイプに属し、全データの使用可能REの数が、またはDMRSによって占められるREの数が、8または9である場合は、使用可能REは第3のタイプに属し、全データの使用可能REの数が、またはDMRSによって占められるREの数が、12である場合は、使用可能REは第4のタイプに属する。
【００９０】
シナリオ2：使用可能REのタイプは、時間領域における1シンボルと周波数領域における1RBでのCSI−RS／PTRS／TRSに関する情報に基づいて判断される。
【００９１】
シナリオ1のDMRSとCSI−RS／PTRS／TRSは同様に応用される。ここでは詳細を繰り返し説明しない。
【００９２】
具体的に述べると、図4dから図4fは各シンボルと各RBにおけるCSI−RSの情報に基づいて使用可能REを分類する概略図を示している。
【００９３】
シナリオ3：異なる基準信号が同じシンボルを占める場合は、基準信号のタイプに基づいて使用可能REを分類することもできる。
【００９４】
例えば、シンボルにDMRSだけがある場合は使用可能REは第1のタイプに属し、シンボルにCSI−RSだけがある場合は使用可能REは第2のタイプに属し、シンボルにDMRSとCSI−RSの両方がある場合は使用可能REは第3のタイプに属する。
【００９５】
シナリオ4：使用可能REはシンボルにおける使用可能REの数に基づいて分類される。
【００９６】
例えば、1RBと1シンボルにおける使用可能REの数は0から12である。具体的に述べると、例えば、使用可能REの数が0から4であるなら使用可能REは第1のタイプに属し、使用可能REの数が5から8であるなら使用可能REは第2のタイプに属し、使用可能REの数が9から12であるなら使用可能REは第3のタイプに属する。
【００９７】
なお、前述した4つのシナリオの少なくとも2つは組み合わせて使用することもできる。具体的に述べると、例えば、通信デバイスが使用可能REのタイプを判断する場合は、DMRSに関する情報とCSI−RS／PTRS／TRSに関する情報を検討することによって使用可能REのタイプを合同で判断できる。
【００９８】
さらに、使用可能REのタイプが判断された後には、判断された使用可能REのタイプに基づいてタイプのTBS値が得られる。
【００９９】
例えば、端末がTBSを計算する際は、タイプのTBS値に、分類基準1の時間領域におけるシンボル数と分類基準1の周波数領域におけるRB数との積を掛けることによって、データスケジューリングのためのTBSサイズが得られる。
【０１００】
なお、異なるタイプ間の相互変換は比例して行うことができ、DMRSは一例として使われている。
【０１０１】
図4aのDMRS方式分類設計において、スケール率は、第1のタイプで1であり得、第2のタイプで1／2であり得、第3のタイプで0であり得る。
【０１０２】
例えば、第1のタイプに対応するTBS表が構成され、第2のタイプと第3のタイプにそれぞれ対応するTBS表はスケール率に基づく変換を通じて得ることができる。具体的に述べると、第2のタイプに対応するTBS表は、第1のタイプに対応するTBS表に第2のタイプのスケール率1／2を掛けることによって得られ、第3のタイプに対応するTBS表は、第1のタイプに対応するTBS表に第3のタイプのスケール率0を掛けることによって得られる。
【０１０３】
図4bのDMRS方式分類設計において、スケール率は、第1のタイプで1であり得、第2のタイプで2／3であり得、第3のタイプで1／3であり得、第4のタイプで0であり得る。
【０１０４】
例えば、第1のタイプに対応するTBS表が構成され、第2のタイプと第3のタイプにそれぞれ対応するTBS表はスケール率に基づく変換を通じて得ることができる。具体的に述べると、第2のタイプに対応するTBS表は、第1のタイプに対応するTBS表に第2のタイプのスケール率2／3を掛けることによって得られ、第3のタイプに対応するTBS表は、第1のタイプに対応するTBS表に第3のタイプのスケール率1／3を掛けることによって得られ、第4のタイプに対応するTBS表は、第1のタイプに対応するTBS表に第4のタイプのスケール率0を掛けることによって得られる。
【０１０５】
図4cのDMRS方式分類設計において、スケール率は、第1のタイプで1であり得、第2のタイプで3／4であり得、第3のタイプで1／2であり得、第4のタイプで1／4であり得、第5のタイプで0であり得る。
【０１０６】
例えば、第1のタイプに対応するTBS表が構成され、第2のタイプと第3のタイプにそれぞれ対応するTBS表はスケール率に基づく変換を通じて得ることができる。具体的に述べると、第2のタイプに対応するTBS表は、第1のタイプに対応するTBS表に第2のタイプのスケール率2／4を掛けることによって得られ、第3のタイプに対応するTBS表は、第1のタイプに対応するTBS表に第3のタイプのスケール率1／2を掛けることによって得られ、第4のタイプに対応するTBS表は、第1のタイプに対応するTBS表に第4のタイプのスケール率1／4を掛けることによって得られ、第5のタイプに対応するTBS表は、第1のタイプに対応するTBS表に第5のタイプのスケール率0を掛けることによって得られる。
【０１０７】
分類基準2に関し、使用可能REのタイプは、時間領域における1スロットのシンボルフィーチャ、および／または周波数領域における1RBのRBフィーチャ、に基づいて判断される。
【０１０８】
シナリオ1：使用可能REのタイプは、時間領域における1スロットと周波数領域における1RBでのDMRSに関する情報に基づいて判断される。
【０１０９】
例えば、使用可能REのタイプを得るため、使用可能REはDMRSによって占められるシンボルの数に基づいて分類される。例えば、DMRS方式分類設計では、各スロットでDMRSによって占められるシンボルの数に基づいて使用可能REが2つのタイプに分類され得る。DMRSが1つのシンボルを占める場合は、使用可能REは第1のタイプに属する。DMRSが2つのシンボルを占める場合は、使用可能REは第2のタイプに属する。あるいは、使用可能REは4つのタイプに分類され得る。DMRSが1つのシンボルを占める場合は、使用可能REは第1のタイプに属する。DMRSが2つのシンボルを占める場合は、使用可能REは第2のタイプに属する。DMRSが3つのシンボルを占める場合は、使用可能REは第3のタイプに属する。DMRSが4つのシンボルを占める場合は、使用可能REは第4のタイプに属する。あるいは、使用可能REは2つのタイプに分類され得る。DMRSが1つまたは2つのシンボルを占める場合は、使用可能REは第1のタイプに属する。DMRSが3つまたは4つのシンボルを占める場合は、使用可能REは第2のタイプに属する。
【０１１０】
例えば、使用可能REは1slotでDMRSによって占められるREの数に基づいて分類される。例えば、単一のシンボルにおけるDMRSの状態を参照し、各slotでDMRSによって占められるREの数は6、12、または24である。この場合、使用可能REは3つのタイプに分類される。別の一例として、単一のシンボルにおけるDMRSの状態を参照し、各slotでDMRSによって占められるREの数は4、8、12、16、または24である。この場合、使用可能REは5つのタイプに分類される。別の一例として、単一のシンボルにおけるDMRSの状態を参照し、各slotでDMRSによって占められるREの数は6、12、18、または24である。この場合、使用可能REは4つのタイプに分類される。
【０１１１】
例えば、分類は1slotでDMRSによって占められるREの数に基づいて行われる。例えば、占められるREの総数は4、6、8、12、16、18、または24であり得る。この場合、使用可能REは3つのタイプか4つのタイプに分類され得る。
【０１１２】
シナリオ2：使用可能REのタイプは、時間領域における1スロットと周波数領域における1RBでのCSI−RS／PTRS／TRSに関する情報に基づいて判断される。
【０１１３】
シナリオ1のDMRSとCSI−RS／PTRS／TRSは同様に応用される。ここでは詳細を繰り返し説明しない。
【０１１４】
シナリオ3：異なる基準信号が同じスロットを占める場合は、基準信号のタイプに基づいて使用可能REを分類することもできる。例えば、スロットにDMRSだけがある場合は使用可能REは第1のタイプに属し、スロットにCSI−RSだけがある場合は使用可能REは第2のタイプに属し、スロットにDMRSとCSI−RSの両方がある場合は使用可能REは第3のタイプに属する。
【０１１５】
シナリオ4：使用可能REはスロットにおける使用可能REの数に基づいて分類される。
【０１１６】
例えば、1 PRBと1スロットにおける使用可能REの数は0から168である。具体的に述べると、例えば、使用可能REの数が0から32であるなら使用可能REは第1のタイプに属し、使用可能REの数が33から64であるなら使用可能REは第2のタイプに属し、使用可能REの数が65から128であるなら使用可能REは第3のタイプに属し、使用可能REの数が129から168であるなら使用可能REは第4のタイプに属する。
【０１１７】
シナリオ5：分類はデータスケジューリングに使用できるシンボルの数に基づいて行うことができる。
【０１１８】
例えば、1 PRBと1スロットにおける使用可能シンボルの数は0から14であり得る。具体的に述べると、例えば、使用可能シンボルの数が0から4なら使用可能REは第1のタイプに属し、使用可能シンボルの数が5から8なら使用可能REは第2のタイプに属し、使用可能シンボルの数が9から12なら使用可能REは第3のタイプに属し、使用可能シンボルの数が13または14なら使用可能REは第4のタイプに属する。
【０１１９】
さらに、通信デバイスは、データスケジューリングのための時間周波数リソースと分類基準の時間周波数フィーチャとを照合することによって使用可能REのタイプを判断し、時間周波数リソースは時間領域リソースと周波数領域リソースとを具体的に含み、時間周波数フィーチャはシンボルフィーチャ、スロットフィーチャ、RBフィーチャ、およびRBGフィーチャを具体的に含む。通信デバイスは、使用可能REのタイプを判断した後に、判断した使用可能REのタイプに基づいてタイプのTBS値を得る。
【０１２０】
例えば、端末がTBSを計算する際は、タイプのTBS値に、分類基準2の時間領域におけるスロット数と分類基準2の周波数領域におけるRB数との積を掛けることによってデータスケジューリングのためのTBSサイズが得られる。
【０１２１】
なお、異なるタイプ間の相互変換は比例して行うことができる。
【０１２２】
分類基準3に関し、使用可能REのタイプは、時間領域における1シンボルのシンボルフィーチャ、および／または周波数領域における1RBGのRBGフィーチャ、に基づいて判断される。
【０１２３】
シナリオ1：使用可能REは各RBGにおけるCSI−RSに関する情報に基づいて分類される。
【０１２４】
使用可能REのタイプ分類は各RBGにおけるCSI−RSの状態に基づいて行うことができる。図5aから図5cは概略図である。
【０１２５】
例えば、CSI−RSが各RBで同じREを占める場合は、図5aに示された方式で使用可能REのタイプ分類を行うことができる。
【０１２６】
例えば、奇数を有するRBでCSI−RSによって占められるREが偶数を有するRBでCSI−RSによって占められるREと異なるため、CSI−RSが2 RBおきに送信される場合は、図5bに示された方式で使用可能REのタイプ分類を行うことができる。
【０１２７】
例えば、CSI−RSによって占められるREが3に対してモジュロ演算を行うことで得られるRB数によって変化するため、CSI−RSが3 RBおきに送信される場合は、図5cに示された方式で使用可能REのタイプ分類を行うことができる。
【０１２８】
さらに、使用可能REのタイプが判断された後には、判断された使用可能REのタイプに基づいてタイプのTBS値が得られる。
【０１２９】
例えば、端末がTBSを計算する際は、タイプのTBS値に、分類基準3の時間領域におけるシンボル数と分類基準3の周波数領域におけるRBG数との積を掛けることによって、データスケジューリングのためのTBSサイズが得られる。
【０１３０】
なお、異なるタイプ間の相互変換は比例して行うことができる。
【０１３１】
分類基準4に関し、使用可能REのタイプは、時間領域における1スロットのスロットフィーチャ、および／または周波数領域における1RBGのRBGフィーチャに基づいて、判断される。
【０１３２】
分類基準4は分類基準3と分類基準2を参照して容易く判断され、ここでは詳細を繰り返し説明しない。
【０１３３】
前述の分類基準は、単一の時間領域スケジューリングユニットの時間領域フィーチャ、および／または単一の周波数領域スケジューリングユニットの周波数領域フィーチャの場合の全ての分類基準である。前述の例によれば、複数の時間領域スケジューリングユニットの時間領域フィーチャ、および／または複数の周波数領域スケジューリングユニットの周波数領域フィーチャの場合の分類基準は容易く推察でき、ここでは詳細を繰り返し説明しない。
【０１３４】
分類基準5に関し、データスケジューリングのための使用可能REのタイプはデータスケジューリングのサービスタイプに基づいて判断される。
【０１３５】
モバイルブロードバンドサービス（eMBB）、超信頼低待ち時間通信（URLLC）サービス、ビデオサービス、音声サービス、スモールパケットサービス、リアルタイムサービスなどの様々なサービスタイプに対し、様々なREタイプ、および／または様々なスケール率、および／または様々なTBS表、および／または様々なTBS判断方法を使用できる。換言すると、様々なサービスタイプは、様々なREタイプ、および／または様々なスケール率、および／または様々なTBS表、および／または様々なTBS判断方法、および／または様々な第1の使用可能RE数、および／または様々な第2の使用可能RE数に対応し得る。様々なサービスの特徴が検討されることで、様々なサービス要件を満たすTBS値をより正確に判断でき、データ伝送性能を高めることができる。
【０１３６】
URLLCはスモールパケットサービスであり得、データスケジューリングのための伝送時間は1つ以上のシンボルになり得る。したがって、REのタイプ分割はより精緻化する必要がある。スモールパケットサービスに対応するTBSの値範囲は比較的小さい。したがって、TBSの値区間は比較的小さくなり得る。URLLCサービスは高信頼性と低待ち時間を要求する。したがって、伝送コードレートは比較的低くなり得る。
【０１３７】
eMBBはラージパケットサービスであり得、データスケジューリングのための伝送時間は1つのスロットまたはより多くのスロットになり得る。したがって、REのタイプ分割は比較的大まかになり得る。TBSの値範囲は比較的大きい。したがって、TBSの値区間は比較的大きくなり得る。
【０１３８】
任意に選べることとして、様々なサービスは様々なコードレートを必要とし得る。例えば、eMBBサービスはスモールコードレートかラージコードレートを必要とし得、URLLCサービスはスモールコードレートを必要とする。したがって、様々なサービスは様々な変調および符号化方式（modulation and Coding scheme、MCS）表を有し得る。例えば、eMBBサービスのMCS表は多数のコードレートと多数のMCS識別子を含み得、コードレートの値は昇順に並べられる。しかし、URLLCサービスのMCS表は比較的小さいコードレートを、または少数のコードレートと少数のMCS識別子とを、含み得る。MCS表は変調方式とTBS識別子を指示するために使用され得、あるいは変調方式とコードレート情報を指示するために使用され得る。あるいは、MCS表は2つの表を含み得る。一方の表は変調方式を指示するために使用され、他方の表はコードレート情報を指示するために使用される。
【０１３９】
具体的に述べると、変調方式とコードレート情報を指示するためにMCS表が使われる一例を用いて、様々なサービスが様々なMCS表に対応し得ることを示す。詳細を以下に示す。
【０１４０】
表3はURLLCサービス伝送に使われるMCS表である。表4はeMBBサービス伝送に使われるMCS表である。
【０１４１】
【表３】
2020522947.tif 000008
【０１４２】
【表４】
2020522947.tif 000009
【０１４３】
様々なサービスのために様々なMCS表が設定されるため、MCSシグナリングのオーバーヘッドを低減できる。例えば、URLLCサービスで、コードレート、および／または変調方式、および／またはTBS値が比較的少数なら、より小さいMCS表を設計できる。基地局が端末にMCSを通知する際は、小さいビット情報を使用でき、例えば4ビットを使ってMCSインデックス表3を表すことができる。ただし、eMBBサービスで、コードレート、および／または変調方式、および／またはTBS値が多数あるなら、より大きいMCS表を設計できる。基地局が端末にMCSを通知する際は、多数のビット情報を使用でき、例えば5ビットを使ってMCSインデックス表4を表すことができる。異なるサービスに同じMCS表が使われる場合は、異なるサービスに5ビットを使って表現が行われる。結果的に、シグナリングのオーバーヘッドは比較的大きくなる。
【０１４４】
任意に選べることとして、使用可能REの様々な分類基準が様々なサービスタイプに使われる。例えば、eMBBには1スロットと1RBの分類基準が使われ、URLLCには1シンボルと1RBの分類基準が使われる。
【０１４５】
任意に選べることとして、様々なスケール率値が様々なサービスタイプに使われる。例えば、eMBBには1、1／2、または1／4の値が使われてよく、URLLCには1、1／2、1／3、1／4、2／3、または3／4の値が使われてよい。
【０１４６】
任意に選べることとして、様々なTBS表が様々なサービスタイプに使われる。例えば、eMBBの場合は120のREに基づいてTBS表が構成され、URLLCの場合は60のREに基づいてTBS表が構成される。様々なTBS表が様々なコードレートを含み得る。
【０１４７】
例えば、eMBBなら同じ変調方式で4つのコードレートがあり、対応するスケール率はそれぞれ1／2、1／3、2／3、4／5などである。URLLCなら同じ変調方式で4つ以上のコードレートがあり、対応するスケール率はそれぞれ1／2、1／3、1／4、2／5などである。
【０１４８】
加えて、任意に選べることとして、TBSを判断する方法では、異なる使用可能RE数が同じTBS値に対応し得る。異なる使用可能RE数が同じTBS値に対応する方法は、使用可能RE数の値区間または値範囲とTBS値との対応関係を指定することによって具体的に決定できる。例えば、値区間または値範囲がNである場合、値区間Nまたは値範囲Nの中の使用可能RE数は同じTBS値に対応する。具体的に述べると、値区間がNである使用可能RE数は、同じTBS表、TBS表内の同じTBS値、または同じ第1の使用可能RE数、または計算式における同じ第2の使用可能RE数に対応し、あるいは同じスケール率などに対応する。これは本願で限定されない。
【０１４９】
時間領域におけるX1個のシンボルならびに周波数領域におけるY1個のRBにおける使用可能REのため、または時間領域におけるX2個のシンボルならびに周波数領域におけるY2個のリソースブロックグループRBGにおける使用可能REのため、または時間領域におけるX3個のスロットならびに周波数領域におけるY3個のリソースブロックRBにおける使用可能REのため、または時間領域におけるX4個のスロットならびに周波数領域におけるY4個のRBGにおける使用可能REのため、またはデータスケジューリングのための使用可能REの総数のため、Nの値を設定でき、X1、X2、X3、X4、Y1、Y2、Y3、およびY4は正の整数である。Nの具体的な設定方法は予め決めることができ、あるいはNの値は、シグナリングを用いて、例えば上位層シグナリングや物理層シグナリングを用いて、基地局から端末に通知できる。これは本願で限定されない。
【０１５０】
任意に選べることとして、対応するTBS値の対応関係がNの値に基づいて判断される場合、TBS値は区間内で最も少ないRE数に対応するTBS値と同じであり得、あるいは区間内で最も多いRE数に対応するTBS値と同じであり得、あるいは区間内のデフォルトRE数に対応するTBS値と同じであり得る。具体的な判断方法は予め決めることができ、あるいは対応関係はシグナリングを用いて基地局から端末に通知でき、具体的なシグナリングは本願で限定されない。シグナリングは上位層シグナリング、物理層シグナリングなどであってよい。
【０１５１】
任意に選べることとして、対応するTBS値の対応関係がNの値に基づいて判断される場合、TBS値は、1つまたは複数のデフォルトRE数に対応するTBS値であり得る。TBS値が別のRE数に基づいて判断される場合、TBS値は、デフォルトRE数かいくつかのデフォルトRE数に最も近いRE数に対応するTBS値と同じであり得る。具体的な判断方法は予め決めることができ、あるいは対応関係はシグナリングを用いて基地局から端末に通知でき、具体的なシグナリングはここで限定されない。シグナリングは上位層シグナリング、物理層シグナリングなどであってよい。
【０１５２】
例えば、値区間Nに対応するTBS表内のTBS値の対応関係が一例として使われる。Nの値が4であるとすると、値区間または値範囲が4に満たない使用可能REの数は同じTBS値に対応する。例えば、使用可能REの数に、すなわち4に、対応するTBS値がAであり、使用可能REの数に、すなわち8に、対応するTBS値がBであり、使用可能REの数に、すなわち12に、対応するTBS値がCであるとすると、使用可能REの数が3であるなら対応するTBSの値はAであり、使用可能REの数が2であるなら対応するTBS値はまたAであり、使用可能REの数が1であるなら対応するTBS値はまたAであり、使用可能REの数が5であるなら対応するTBS値はAまたはBであり得、使用可能REの数が6であるなら対応するTBS値はAまたはBであり得、使用可能REの数が7であるなら対応するTBS値はBであり得、使用可能REの数が9であるなら対応するTBS値はBまたはCであり得、使用可能REの数が10であるなら対応するTBS値はBまたはCであり得、使用可能REの数が11であるなら対応するTBS値はCであり得る。別の対応状況もあり得る。これは具体的に限定されない。任意に選べることとして、異なる使用可能RE数が同じTBS値に対応する方法は、使用可能RE数の分割区間とTBS値との対応関係を指定することによって具体的に決定できる。分割区間は1つ以上の区間を含み得、それぞれの区間はTBS値に対応する。具体的に述べると、区間内の使用可能RE数は、同じTBS表、TBS表内の同じTBS値、同じ第1の使用可能RE数、または計算式における第2の使用可能REの同じ第2の数に対応し、あるいは同じスケール率に対応する。これはここで具体的に限定されない。具体的な区間分割方法は予め決めることができ、あるいはシグナリングを用いて基地局から端末に通知でき、具体的なシグナリングはここで限定されない。シグナリングは上位層シグナリング、物理層シグナリングなどであってよい。
【０１５３】
任意に選べることとして、それぞれの分割区間は1つ以上の使用可能RE数を含む。
【０１５４】
例えば、使用可能RE数の分割区間とTBS表内のTBS値との対応関係が一例として使われる。3が分割で得られる3つの区間である場合、例えば0から4の範囲1と、5から8の範囲2と、9から12の範囲3である場合、区間内の使用可能RE数はTBS表内の同じTBS値に対応する。例えば、区間1に対応するTBS値がAであり、区間2に対応するTBS値がBであり、区間3に対応するTBS値がCであるとすると、使用可能REの数が3であるなら対応するTBS値はAであり得、使用可能REの数が2であるなら対応するTBS値はまたAであり、使用可能REの数が1であるなら対応するTBS値はまたAであり、使用可能REの数が5であるなら対応するTBS値はBであり得、使用可能REの数が6であるなら対応するTBS値はBであり得、使用可能REの数が7であるなら対応するTBS値はBであり得、使用可能REの数が9であるなら対応するTBS値はCであり得、使用可能REの数が10であるなら対応するTBS値はCであり得、使用可能REの数が11であるなら対応するTBS値はCであり得る。別の対応状況もあり得る。これは具体的に限定されない。
【０１５５】
区間分割またはNの具体的な値は予め決めることができ、あるいはシグナリングを用いて、例えば上位層シグナリングや物理層シグナリングを用いて、基地局から端末に通知できる。これはここで具体的に限定されない。上位層シグナリングは無線リソース制御（Radio Resource Control、RRC）シグナリング、媒体アクセス制御（Medium Access Control、MAC）コントロールエレメント（Control Element、CE）、またはその他のシグナリングであってよい。これはここで具体的に限定されない。物理層シグナリングはダウンリンク制御情報などであってよい。任意に選べることとして、前述した全ての実施形態において、使用可能REのタイプ分類は、RE数に基づいて、使用可能RE数の値区間または値範囲、または使用可能RE数の分割区間と、TBSとの対応関係を用いて遂行されてよく、例えばRE数の値区間または値範囲、またはRE数の分割区間と、使用可能REのタイプとの対応関係に基づいて遂行されてよい。これはここで具体的に限定されない。
【０１５６】
使用可能RE数またはRE数について値区間、値範囲、または分割区間が指定されることで、複数の使用可能REまたはRE数が同じTBS値に対応し得、あるいは同じ使用可能REタイプに対応し得、過剰なTBS値の問題は回避される。TBS値は各REに対し必ずしも正確ではない。過剰なTBS値があるとシステムの複雑性が増し、TBS例外値が発生することがある。その結果、データ伝送性能は低下する。
【０１５７】
任意に選べることとして、前述した全ての実施形態において、TBS値が判断されるときに伝送層の数が考慮されない場合は、伝送層の数はデフォルトにより1とみなされる。データスケジューリングのためのトランスポートブロックが複数の伝送層で伝送される場合は、TBS値を判断するために伝送層の数を考慮する必要がある。詳細については先行技術や他の様態を参照できる。これはここで限定されない。
【０１５８】
前述の実施形態に基づき、図6を参照し、本願の一実施形態は通信装置600を提供する。装置600は独立したネットワークエレメントであってよく、端末または基地局であってよく、あるいは対応するネットワークエレメント内の機能モジュールであってよい。装置600の構造は第1の判断ユニット610と第2の判断ユニット620とを含む。
【０１５９】
第1の判断ユニット610はデータスケジューリングのために使用可能リソースエレメントREのタイプを判断するように構成される。
【０１６０】
第2の判断ユニット620は使用可能REのタイプに基づいてデータのトランスポートブロックサイズを判断するように構成される。
【０１６１】
任意に選べることとして、第1の判断ユニット610は、データスケジューリングのために使用可能REのタイプを判断するときに、
使用可能REの分類基準を判断し、かつ使用可能REの分類基準に基づいてデータスケジューリングのための使用可能REのタイプを判断するように具体的に構成され、分類基準は、時間領域におけるX1個のシンボルのシンボルフィーチャ、および／または周波数領域におけるY1個のRBのRBフィーチャに基づいて判断され、あるいは分類基準は、時間領域におけるX2個のシンボルのシンボルフィーチャ、および／または周波数領域におけるY2個のリソースブロックグループRBGのRBGフィーチャに基づいて判断され、あるいは分類基準は、時間領域におけるX3個のスロットのスロットフィーチャ、および／または周波数領域におけるY3個のリソースブロックRBのRBフィーチャに基づいて判断され、あるいは分類基準は、時間領域におけるX4個のスロットのスロットフィーチャ、および／または周波数領域におけるY4個のRBGのRBGフィーチャに基づいて判断され、あるいは分類基準はデータスケジューリングのための使用可能REの数であり、X1、X2、X3、X4、Y1、Y2、Y3、およびY4は正の整数である。
【０１６２】
任意に選べることとして、シンボルフィーチャは、シンボルにおける基準信号とシンボルにおける使用可能REの数に関する情報のうち少なくともいずれか1つを含み、
RBフィーチャは、RBにおける基準信号とRBにおける使用可能REの数に関する情報のうち少なくともいずれか1つを含み、
スロットフィーチャは、スロットにおける基準信号と、スロットにおける使用可能REの数と、スロットにおける使用可能シンボルの数に関する情報のうち少なくともいずれか1つを含み、
RBGフィーチャは、RBGにおける基準信号と、RBGのおける使用可能REの数と、RBGにおける使用可能RBの数に関する情報のうち少なくともいずれか1つを含む。
【０１６３】
任意に選べることとして、基準信号に関する情報は、基準信号の有無と、基準信号のアンテナポートの数と、基準信号によって占められるREの数のうち少なくともいずれか1つを含む。
【０１６４】
任意に選べることとして、装置600が端末である場合、装置は、基地局によって送信される第1のシグナリングを受信するように構成された受信ユニット630をさらに含み、第1のシグナリングは使用可能REの分類基準を指示するために使われる。あるいは、第1の判断ユニット610は使用可能REの既定分類基準を判断するように具体的に構成される。
【０１６５】
装置600が基地局である場合、第1の判断ユニット610は、使用可能REの既定分類基準を判断するように、またはデータスケジューリングのサービスフィーチャに基づいて使用可能REの分類基準を構成するように、具体的に構成される。
【０１６６】
任意に選べることとして、第1の判断ユニット610は、使用可能REの分類基準に基づいてデータスケジューリングのために使用可能REのタイプを判断するときに、
使用可能REの分類基準とデータスケジューリングのための時間周波数リソースとに基づいてデータスケジューリングのために使用可能REのタイプを判断するように具体的に構成される。
【０１６７】
任意に選べることとして、第1の判断ユニット610は、データスケジューリングのために使用可能REのタイプを判断するときに、
データスケジューリングが属するサービスタイプを判断し、かつサービスタイプに基づいてデータスケジューリングのために使用可能REのタイプを判断するように具体的に構成され、様々なサービスタイプが様々な使用可能REタイプに対応する。
【０１６８】
任意に選べることとして、第2の判断ユニット620は、使用可能REのタイプに基づいてデータのトランスポートブロックサイズを判断するときに、
使用可能REのタイプに基づいて、使用可能REのタイプに対応するトランスポートブロックサイズの表を判断し、かつトランスポートブロックサイズの表に基づいてデータのトランスポートブロックサイズを判断するように具体的に構成され、あるいは
使用可能REのタイプ、ならびに使用可能REのタイプとトランスポートブロックサイズとの対応関係に基づいて、データのトランスポートブロックサイズを判断するように具体的に構成され、あるいは
使用可能REのタイプに対応するスケール率を判断し、かつデータのトランスポートブロックサイズを得るためスケール率に既定値を掛けるように具体的に構成され、既定値はトランスポートブロックサイズの既定表に基づいて判断され、あるいは変調方式、コードレート、伝送層の数、および通信装置600の第1の使用可能RE数に基づいて計算され、第1の使用可能RE数はデータスケジューリングのための時間周波数リソースに基づいて予め設定されるか判断され、あるいは
使用可能REのタイプに対応する第2の使用可能RE数を判断し、かつ変調方式、コードレート、伝送層の数、および装置600の第2の使用可能RE数を使った計算でデータのトランスポートブロックサイズを得るように具体的に構成される。
【０１６９】
本願の本実施形態で、第1の判断ユニット610と第2の判断ユニット620aはプロセッサによって実装されてよく、受信ユニット630はトランシーバか通信インターフェースによって実装されてよい。
【０１７０】
加えて、図6に示された実施形態で提供される通信装置は別の形態でさらに実装できる。
【０１７１】
当業者なら、簡素な一実施形態において、図6に示された実施形態で提供される通信装置を図7に示された構造を用いて実装できることを理解できる。
【０１７２】
図7に示されているように、通信デバイスは、メモリ701と、プロセッサ702と、システムバス703と、通信インターフェース704とを含み得る。プロセッサ702とメモリ701と通信インターフェース704はシステムバス703を用いて接続される。メモリ701はコンピュータ実行可能命令を保管するように構成される。通信装置が稼働すると、プロセッサ702はメモリ701に保管されたコンピュータ実行可能命令を実行し、通信デバイスは図3に示された実施形態で提供されるトランスポートブロックサイズを判断する方法を遂行する。トランスポートブロックサイズを判断する具体的な方法については前述の説明と添付の図面の関連説明とを参照されたい。ここでは詳細を繰り返し説明しない。
【０１７３】
プロセッサ702は汎用中央処理装置（Central Processing Unit、CPU）、マイクロプロセッサ、特定用途向け集積回路（Application Specific Integrated Circuit、ASIC）、または1つ以上の集積回路であってよく、本願の実施形態で提供される技術的解決手段を実施するため、関連操作を遂行するように構成される。
【０１７４】
任意に選べることとして、図7に示された実施形態で提供される通信デバイスは、FPGA、ASIC、システム・オン・チップ（system on chip、SoC）、CPU、ネットワークプロセッサ（network processor、NP）、デジタル信号処理回路（digital signal processor、DSP）、またはマイクロコントローラユニット（micro controller unit、MCU）であってよい。プログラム可能コントローラ（programmable logic device、PLD）や他の集積チップを使用することもできる。
【０１７５】
なお、図7に示された通信デバイスにはメモリ701とプロセッサ702とシステムバス703と通信インターフェース704だけが示されているが、当業者なら、特定の実装過程において、通信デバイスが正常動作に必要な別のコンポーネントをさらに含むことを理解するであろう。加えて、当業者なら、特定の要件に従って通信デバイスが他の追加的機能を実施するためにハードウェアコンポーネントをさらに含み得ることを理解するであろう。加えて、当業者なら、通信デバイスが本願の実施形態を実施するために必要なコンポーネントやモジュールだけを含み得、必ずしも図7に示されたコンポーネントをもれなく含み得ないことを理解するであろう。
【０１７６】
当業者であれば、実施形態における方法のプロセスの全部または一部が、関連ハードウェアに命令するコンピュータプログラムによって実行され得ることを理解できる。プログラムはコンピュータ可読記憶媒体に保管できる。プログラムが実行すると、前述した方法の実施形態のプロセスが遂行される。前述した記憶媒体は、磁気ディスク、光ディスク、読み取り専用メモリ（Read−Only Memory、ROM）、ランダムアクセスメモリ（Random Access Memory、RAM）などを含み得る。
【０１７７】
当業者なら、本願の実施形態が、方法、システム、またはコンピュータプログラム製品として提供され得ることを理解するであろう。したがって、本願の実施形態はハードウェアのみの実施形態、ソフトウェアのみの実施形態、またはソフトウェアとハードウェアを組み合わせた実施形態の形式を使用し得る。さらに、本願の実施形態は、コンピュータ使用可能プログラムコードを含む1つ以上のコンピュータ使用可能記憶媒体（ディスクメモリ、CD−ROM、光メモリなどを含みただしこれらに限定されない）で実装されるコンピュータプログラム製品の形式を使用し得る。
【０１７８】
本願の実施形態は、本願の実施形態による方法、デバイス（システム）、およびコンピュータプログラム製品の流れ図および／またはブロック図を参照して説明されている。流れ図および／またはブロック図にある各プロセスおよび／または各ブロック、ならびに流れ図および／またはブロック図にあるプロセスおよび／またはブロックの組み合わせを実行するため、コンピュータプログラム命令が使用され得ることを理解されたい。これらのコンピュータプログラム命令は、汎用コンピュータ、専用コンピュータ、組み込みプロセッサ、またはマシンを形成する他のプログラム可能データ処理デバイスのプロセッサ用として提供されてよく、コンピュータによって、または他のプログラム可能データ処理デバイスのプロセッサによって、実行される命令は、流れ図にある1つ以上のプロセスで、および／またはブロック図にある1つ以上のブロックで、特定の機能を実行する装置を形成する。
【０１７９】
これらのコンピュータプログラム命令は、特定のやり方で働くことをコンピュータや他のプログラム可能データ処理デバイスに命令できるコンピュータ可読メモリに保管されてよく、コンピュータ可読メモリに保管された命令は命令装置を含むアーチファクトを形成する。命令装置は、流れ図にある1つ以上のプロセスで、および／またはブロック図にある1つ以上のブロックで、特定の機能を実行する。
【０１８０】
これらのコンピュータプログラム命令はコンピュータか他のプログラム可能データ処理デバイスに読み込まれてもよく、コンピュータか他のプログラム可能デバイスで一連の操作およびステップが遂行されることによってコンピュータ実行処理が形成される。したがって、コンピュータか他のプログラム可能デバイスで実行される命令は、流れ図にある1つ以上のプロセスで、および／またはブロック図にある1つ以上のブロックで、特定の機能を実行するステップを提供する。
【０１８１】
当然ながら、当業者なら、本願の精神および範囲から逸脱することなく本願の実施形態に様々な修正や変更を加えることができる。本願は、以降の請求項とこれと同等の技術とによって定められる保護の範囲内にあるこれらの修正や変更をカバーすることを意図する。
【符号の説明】
【０１８２】
600  通信装置
610  第1の判断ユニット
620  第2の判断ユニット
630  受信ユニット
701  メモリ
702  プロセッサ
703  システムバス
704  通信インターフェース
【図１】
2020522947.tif 000010
【図２】
2020522947.tif 000011
【図３】
2020522947.tif 000012
【図４ａ】
2020522947.tif 000013
【図４ｂ】
2020522947.tif 000014
【図４ｃ】
2020522947.tif 000015
【図４ｄ】
2020522947.tif 000016
【図４ｅ】
2020522947.tif 000017
【図４ｆ】
2020522947.tif 000018
【図５ａ】
2020522947.tif 000019
【図５ｂ】
2020522947.tif 000020
【図５ｃ】
2020522947.tif 000021
【図６】
2020522947.tif 000022
【図７】
2020522947.tif 000023
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
トランスポートブロックサイズを判断する方法であって、
通信デバイスにより、1スロットと1リソースブロック(RB)における使用可能リソースエレメント(RE)の数に基づいてデータスケジューリングのために使用可能REのタイプを判断するステップと、
前記通信デバイスにより、前記使用可能REの前記タイプに基づいてデータのトランスポートブロックサイズを判断するステップと
を含む、方法。
【請求項２】
通信デバイスにより、1スロットと1RBにおける使用可能REの数に基づいてデータスケジューリングのために使用可能REのタイプを判断する前記ステップは、
前記通信デバイスにより、時間領域における1スロットと周波数領域における1RBで復調基準信号(DMRS)によって占められるREの数に基づいて前記使用可能REの前記タイプを判断するステップを含む、請求項1に記載の方法。
【請求項３】
前記通信デバイスにより、前記使用可能REの前記タイプに基づいてデータのトランスポートブロックサイズを判断する前記ステップは、
前記通信デバイスにより、前記使用可能REの前記タイプに対応するスケール率を判断するステップと、前記データの前記トランスポートブロックサイズを得るため前記スケール率に既定値を掛けるステップであって、前記既定値はトランスポートブロックサイズの既定表に基づいて判断され、あるいは変調方式、コードレート、伝送層の数、および前記通信デバイスの第1の使用可能RE数に基づいて計算され、前記第1の使用可能RE数はデータスケジューリングのための時間周波数リソースに基づいて予め設定されるか判断される、ステップとを含む、請求項1または2に記載の方法。
【請求項４】
前記通信デバイスにより、前記使用可能REの前記タイプに基づいてデータのトランスポートブロックサイズを判断する前記ステップは、
前記通信デバイスにより、前記使用可能REの前記タイプに対応する第2の使用可能RE数を判断するステップと、変調方式、コードレート、伝送層の数、および前記通信デバイスの前記第2の使用可能RE数を使った計算で前記データの前記トランスポートブロックサイズを得るステップとを含む、請求項1または2に記載の方法。
【請求項５】
前記通信デバイスにより、前記使用可能REの前記タイプに対応するスケール率を判断する前記ステップは、
前記通信デバイスにより、データスケジューリングのサービスタイプに基づいて前記スケール率を判断するステップを含む、請求項3に記載の方法。
【請求項６】
コンピュータ実行可能プログラムコードを保管するように構成されたメモリと、
1スロットと1リソースブロック(RB)における使用可能リソースエレメント(RE)の数に基づいてデータスケジューリングのために使用可能REのタイプを判断し、かつ
前記使用可能REの前記タイプに基づいてデータのトランスポートブロックサイズを判断するため、
前記メモリ内の前記プログラムコードを呼び出すように構成された1つ以上のプロセッサと
を備える、通信装置。
【請求項７】
前記1つ以上のプロセッサは、1スロットと1RBにおける前記使用可能REの数に基づいてデータスケジューリングのために前記使用可能REの前記タイプを判断するときに、
時間領域における1スロットと周波数領域における1RBで復調基準信号(DMRS)によって占められるREの数に基づいて前記使用可能REの前記タイプを判断するように構成される、請求項6に記載の装置。
【請求項８】
前記1つ以上のプロセッサは、前記使用可能REの前記タイプに基づいて前記データの前記トランスポートブロックサイズを判断するときに、
前記使用可能REの前記タイプに対応するスケール率を判断し、かつ前記データの前記トランスポートブロックサイズを得るため前記スケール率に既定値を掛けるように構成され、前記既定値はトランスポートブロックサイズの既定表に基づいて判断され、あるいは変調方式、コードレート、伝送層の数、および前記通信装置の第1の使用可能RE数に基づいて計算され、前記第1の使用可能RE数はデータスケジューリングのための時間周波数リソースに基づいて予め設定されるか判断される、請求項6または7に記載の装置。
【請求項９】
前記1つ以上のプロセッサは、前記使用可能REの前記タイプに基づいて前記データの前記トランスポートブロックサイズを判断するときに、
前記使用可能REの前記タイプに対応する第2の使用可能RE数を判断し、かつ変調方式、コードレート、伝送層の数、および前記通信装置の前記第2の使用可能RE数を使った計算で前記データの前記トランスポートブロックサイズを得るように構成される、請求項6または7に記載の装置。
【請求項１０】
前記1つ以上のプロセッサは、前記使用可能REの前記タイプに対応する前記スケール率を判断するときに、
データスケジューリングのサービスタイプに基づいて前記スケール率を判断するように構成される、請求項8に記載の装置。
【請求項１１】
請求項1から5のいずれか一項に記載の方法を実行するための手段を備える装置。
【請求項１２】
請求項1から5のいずれか一項に記載の方法を実行するように構成された装置。
【請求項１３】
命令またはプログラムコードを保管するように構成されたコンピュータ読み取り可能な記録媒体であって、前記命令またはプログラムコードがコンピュータによって実行される時、前記コンピュータに請求項1から5のいずれか一項に記載の方法を実行させる、コンピュータ読み取り可能な記録媒体。
【請求項１４】
コンピュータに請求項1から5のいずれか一項に記載の方法を実行させるプログラム。
【請求項１５】
メモリおよび1つ以上のプロセッサを備えるチップシステムであって、前記メモリは命令またはプログラムコードを保管するように構成され、前記命令またはプログラムコードが前記1つ以上のプロセッサによって実行されると、前記チップシステムに請求項1から5のいずれか一項に記載の方法を実行するための装置をサポートさせる、チップシステム。
【請求項１６】
請求項6から10のいずれか一項に記載の装置を備える通信システム。
【手続補正２】
【補正対象書類名】明細書
【補正対象項目名】０１６９
【補正方法】変更
【補正の内容】
【０１６９】
本願の本実施形態で、第1の判断ユニット610と第2の判断ユニット620はプロセッサによって実装されてよく、受信ユニット630はトランシーバか通信インターフェースによって実装されてよい。
【国際調査報告】
2020522947.tif 000024
2020522947.tif 000025
2020522947.tif 000026
2020522947.tif 000027